【事件の表示】
　上記当事者間の特許第３９６８０６７号発明「テレビジョン番組リストのユーザーインタフェース」の特許無効審判事件について、次のとおり審決する。
【結　論】
　特許第３９６８０６７号の請求項１乃至請求項４に係る発明についての特許を無効とする。
　審判費用は、被請求人の負担とする。
【理　由】
第１　手続の経緯
１．出願の経緯
　本件特許（特許３９６８０６７号、特願２００３−３３２１１３号）は、以下のように２度の分割出願を重ね、第３世代として出願され、特許されたものである。
・特願平３−５１６６９１号
（１９９１年３月１０日（パリ条約による優先権主張外国庁受理１９９０年９月１０日、米国）を国際出願日とする出願、以下「親出願」ともいう）
・特願２０００−３２１３９１号
（親出願の一部を平成１２年１０月２０日に新たな特許出願とした出願、以下「子出願」ともいう）
・特願２００３−３３２１１３号
（子出願の一部を平成１５年９月２４日に新たな特許出願とした出願、以下「本件出願」もしくは「孫出願」ともいう）
　
２．本件出願の経緯
　出願　　　　　　　　　　　　　　　　平成１５年　９月２４日
　　（特願２００３−３３２１１３号
　　　分割の原出願　特願２０００−３２１３９１号　　　　　　　）
　設定登録　　　　　　　　　　　　　　平成１９年　６月　８日
　　（特許３９６８０６７号
　　　請求項数　４
　　　権利者　スターサイト　テレキャスト　インコーポレイテッド）
　
３．本件審判の経緯
　無効審判請求（請求人）　　　　　　　平成２０年　２月１３日付け
　答弁書（被請求人）　　　　　　　　　平成２０年　６月　２日付け
　口頭審理（特許庁審判廷）　　　　　　平成２０年１２月　４日
　口頭審理陳述要領書（請求人）　　　　平成２０年１２月　４日付け
　口頭審理陳述要領書（被請求人）　　　平成２０年１２月　４日付け
　上申書（被請求人）　　　　　　　　　平成２０年１２月１２日付け
　上申書（請求人）　　　　　　　　　　平成２０年１２月１９日付け
　
第２　請求及び主張の概要
１．請求人
（１）請求の趣旨
　特許第３９６８０６７号の特許請求の範囲に記載された請求項１乃至請求項４に係る各発明についての特許を無効とする、審判費用は被請求人の負担とする、との審決を求める。
　
（２）無効理由１（記載不備）
　本件特許発明１乃至本件特許発明４は、特許法第３６条第５項第１号、第２号、第４項に規定する要件を満たしておらず、その特許は同法第１２３条第１項第３号に該当し、無効とすべきものである。
　なお、「○３」の表記は記号「○」中に数字「３」がある記号を示す（他の数字についても同じ）。情報処理装置の文字処理能力の事情により、以下、このように表記する。
　ア．「複数の項目のそれぞれに対応する番組説明情報を取得」が、発明の詳細な説明に不記載。
　　　（特許法第３６条第５項第１号）
　　　（審判請求書での○３、１）−１　）
　イ．「該複数のセルのそれぞれは、該少なくともいくつかの項目のうちの１つに関連付けられている」が、発明の詳細な説明に不記載。
　　　（特許法第３６条第５項第１号）
　　　（審判請求書での○５、１）−２　）
　ウ．「テレビジョン番組表」の意味が不明。
　　　（特許法第３６条第５項第２号）
　　　（審判請求書での○１、２）−１　）
　エ．「テレビジョン番組表に含まれる複数の項目」の意味が不明。
　　　（特許法第３６条第５項第２号）
　　　（審判請求書での○２、２）−２　）
　オ．「番組ガイドの形式」の意味が不明
　　　（特許法第３６条第５項第２号）
　　　（審判請求書での○４、２）−３　）
　カ．「グリッドガイド形式」の意味が不明
　　　（特許法第３６条第５項第２号）
　　　（審判請求書での○８、２）−４　）
　キ．「番組説明情報」を、なぜ表示できるのか不明。
　　　（特許法第３６条第４項）
　　　（審判請求書での○６、３）−１　）
　ク．「選択されたセルが配置されている該モニタースクリーン上の領域とは異なる該モニタースクリーン上の領域」を、どのように検出するのか、発明の詳細な説明を参酌しても不明。
　　　（特許法第３６条第４項）
　　　（審判請求書での○７、３）−２　）
　
（３）無効理由２（進歩性欠如）
　本件特許発明１乃至本件特許発明４は、特許法第２９条第２項の規定により特許を受けることができないものであり、その特許は同法第１２３条第１項第１号に該当し、無効とすべきものである。
　
　ア．本件特許発明１乃至本件特許発明４は、甲第１号証及び甲第２号証に記載された発明並びに周知技術に基づいて、当業者が容易に発明をすることができたものである。
　
　イ．本件特許発明１乃至本件特許発明４は、分割の原出願（子出願：特願２０００−３２１３９１号）の出願当初の明細書又は図面に記載した事項の範囲内でないものを含み、分割の原出願に包含される発明ではないので、特許法第４４条に規定する要件を満たしていない。そのため、本件特許の出願日は、原出願（親出願：特願平３−５１６６９１号）の出願日（平成３年９月１０日）まで遡及せず、現実の出願日の平成１５年９月２４日になる。それにより、本件特許発明１乃至本件特許発明４は、原出願（親出願）の平成６年５月１２日の国内公表公報（甲第８号証：特表平６−５０４１６５号）及び分割の原出願の平成１３年７月６日の出願公開公報（甲第９号証：特開２００１−１８６４３８号）に記載された各発明に基づいて、出願前に当業者が容易に発明することができたものである。
　
　甲第１号証　特開平１−２０９３９９号公報
　甲第２号証　特開平２−１８９７５３号公報
　甲第３号証　特開昭６２−４９５２８号公報
　甲第４号証　特開昭６３−２４７８１２号公報
　甲第５号証　特開昭６３−２７６０６９号公報
　甲第６号証　特開昭５８−２１０７７６号公報
　甲第７号証　本件特許公報（特許第３９６８０６７号）
　甲第８号証　特表平６−５０４１６５号公報
　　　　　　　（親出願の国内公表公報）
　甲第９号証　特開２００１−１８６４３８号公報
　　　　　　　（子出願の出願公開公報）
　
２．被請求人
（１）答弁の趣旨
　本件特許権には無効理由がなく本件特許権を維持する、本件審判費用は審判請求人の負担とする、との審決を求める。
　
第３　本件特許発明
　本件特許の請求項１乃至４に係る発明は、本件特許請求の範囲記載の請求項１乃至４に記載されたとおりである。検討のため、以下のように分説する。以下、本件特許の請求項１に係る発明を本件特許発明１ともいい、請求項２乃至４に係る発明も項番号にしたがって本件特許発明２乃至４ともいう。
　
【請求項１】（本件特許発明１）
Ａ：テレビジョン番組表に関する情報を提供する方法であって、
　　該方法は、
Ｂ：受信機の外部にある放送装置から受信機が受信した放送信号から、テレビジョン番組表に含まれる複数の項目のそれぞれに対応するタイトル情報と、該複数の項目のそれぞれに対応する番組説明情報とを取得するステップと、
Ｃ：時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップと、
Ｄ：該モニタースクリーン上でカーソルを移動することにより、該複数のセルのうちの１つを選択するステップと、
Ｅ：該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示するステップと
　　を包含する、方法。
　
【請求項２】（本件特許発明２）
Ｆ：前記時間およびチャンネルの番組ガイドの形式で前記少なくともいくつかの項目を表示するステップは、グリッドガイド形式で該少なくともいくつかの項目を表示するステップを包含する、請求項１に記載の方法。
　
【請求項３】（本件特許発明３）
ｂ：受信機の外部にある放送装置から受信機が受信した放送信号から、テレビジョン番組表に含まれる複数の項目のそれぞれに対応するタイトル情報と、該複数の項目のそれぞれに対応する番組説明情報とを取得する手段と、
ｃ：時間およびチャンネルの番組ガイドの形式で該テレビジョン番組表に含まれる複数の項目のうちの少なくともいくつかの項目をモニタースクリーンに表示する手段であって、該番組ガイドは、複数のセルを含み、該複数のセルのそれぞれは、該少なくともいくつかの項目のうちの１つに関連付けられている、手段と、
ｄ：該モニタースクリーン上でカーソルを移動することにより、該複数のセルのうちの１つを選択する手段と、
ｅ：該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示する手段と
　　を含む、電子番組ガイドシステム。
　
【請求項４】（本件特許発明４）
ｆ：前記時間およびチャンネルの番組ガイドの形式で前記少なくともいくつかの項目を表示する手段は、グリッドガイド形式で該少なくともいくつかの項目を表示する手段を含む、請求項３に記載の電子番組ガイドシステム。
　
第４　判断
１．無効理由１（記載不備）について
（１）無効理由１　ア．について
　ア．本件特許の用語の理解
　（ア）「テレビジョン番組表」
　　本件特許明細書の発明の詳細な説明には「テレビジョン番組表」という用語は用いられていないが、「テレビジョン番組表」という用語自体から、本件特許明細書段落【０００７】に「印刷されたグリッドテレビジョンスケジュールガイドは、よく番組のタイトル及び放送局名以外の付属情報を含む。そのようなグリッドはまた一般に、各番組の紹介、その番組が再放送かどうか、映画の人気及びその他の情報を含むより詳細な印刷スケジュールと組み合わせて提供される。」ともあるような、一般に新聞のテレビ・ラジオ欄や放送スケジュール雑誌などに印刷されている表のようなテレビジョン番組を一覧できる表の概念であると理解される。
　（イ）「テレビジョン番組表に含まれる複数の項目」
　　本件特許明細書の発明の詳細な説明には「項目」という用語は単独では用いられていないが、「項目」という用語（こう‐もく【項目】：物事を或る基準で区分した一つ一つ。「関連―」「―別」[株式会社岩波書店 広辞苑第五版]）自体から、「テレビジョン番組表に含まれる複数の項目」は、「テレビジョン番組表に」「複数」「含まれる」ものであって、「或る基準で区分した一つ一つ」であると理解される。そして、テレビジョン番組表が、通常、複数のテレビジョン番組を１つ１つを枠で囲むことで１つ１つのテレビジョン番組として区別して一覧すること、本件特許において、タイトル情報が「それぞれに対応する」とされることから、「テレビジョン番組表に含まれる複数の項目」の「項目」とは、テレビジョン番組表における１つ１つの番組の概念であると理解される。
　（ウ）「番組説明情報」
　　本件特許明細書の発明の詳細な説明には「番組説明情報」という用語は用いられていないが、「番組説明情報」という用語自体から、「番組」を説明する情報であると認められ、一般に新聞のテレビ・ラジオ欄や放送スケジュール雑誌などで番組について説明されている紹介記事等の番組を説明する情報が、本件特許における「番組説明情報」に相当することが理解される。
　
　イ．「複数の項目のそれぞれに対応する番組説明情報を取得」
　本件特許明細書には、段落【００２３】に番組ノートオーバレイ５２の例が記載され、図６に番組ノートオーバレイ５２が図示されている。これら段落【００２３】の例、図６に番組ノートオーバレイ５２の内容「ドロシー・・・」が、番組を説明するために用いられていることは明らかであり、上記用語の理解からすれば、段落【００２３】の例、図６に番組ノートオーバレイ５２の内容「ドロシー・・・」が本件特許の「番組説明情報」であって、「（テレビジョン番組表に含まれる）複数の項目のそれぞれに対応する番組説明情報」が本件特許明細書の発明の詳細な説明に記載されていることは明らかである。
　本件特許明細書には、テレビジョン番組表に関する情報の取得に関して、段落【００７３】、【００７４】、【００７６】に垂直ブランキングインターバル（ＶＢＩ）から「リスト情報（リストデータ、リスト）」を取得することが記載されており、また、段落【００８３】では「リスト情報（リストデータ、リスト）」を「スケジュール情報」という表現をしており、「リスト」「スケジュール」という表現をしているものの、この情報が、本件特許明細書で各図面で説明される各種表示形態の表として表示を行うための表示内容情報を含むものであることは、詳細に説明されずとも理解することができる。
　そして、そのような各図面で説明される各種表示形態の表として表示を行うために必要となる内容情報を取得する手段としては、ＶＢＩの他には、「これ（ＶＢＩ）に替えて、またはこれに補助的に、通信回線２７０から・・ダウンロードすることも可能」（【００８３】）と記載されているだけであるから、「通信回線２７０から・・ダウンロード」する構成を採用しない場合に、図面で説明される各種表示形態の表として表示を行うために必要となる内容情報はＶＢＩから取得するものと理解される。
　そうすると、図６で１つの表示形態の表として表示される際の番組ノートオーバレイ５２の内容である段落【００２３】の例、図６の「ドロシー・・・」はＶＢＩから取得するものと理解され、したがって、「（テレビジョン番組表に含まれる）複数の項目のそれぞれに対応する番組説明情報」が放送信号（ＶＢＩ）から取得されることは、本件特許明細書の発明の詳細な説明に記載されているということができる。
　よって、無効理由１　ア．については理由がないというべきである。
　
（２）無効理由１　イ．について
　上記「第４　１．（１）ア．（ア）テレビジョン番組表」で述べたように、本件特許明細書段落【０００７】に「印刷されたグリッドテレビジョンスケジュールガイドは、よく番組のタイトル及び放送局名以外の付属情報を含む。そのようなグリッドはまた一般に、各番組の紹介、その番組が再放送かどうか、映画の人気及びその他の情報を含むより詳細な印刷スケジュールと組み合わせて提供される。」ともあるような、一般に新聞のテレビ・ラジオ欄や放送スケジュール雑誌などに印刷されている表のようなテレビジョン番組を一覧できる表が、通常、複数のテレビジョン番組を１つ１つを枠で囲むことで１つ１つのテレビジョン番組として区別して一覧するものであり、本件特許におけるテレビジョン番組表において、そのような枠で囲まれた範囲を「セル」ということは明らかであって、実施例では例えば図１のセル２１とされるように、セルが１つの番組に対応していることは明らかである。上記したように、本件特許の「項目」という用語は、番組の概念であると理解されるから、「該複数のセルのそれぞれは、該少なくともいくつかの項目のうちの１つに関連付けられている」ことは、本件特許明細書の発明の詳細な説明に記載されているということができる。
　よって、無効理由１　イ．については理由がないというべきである。
　
（３）無効理由１　ウ．について
　上記したように、一般に新聞のテレビ・ラジオ欄や放送スケジュール雑誌などに印刷されている表のようなテレビジョン番組を一覧できる表の概念であると理解され、不明瞭ということはできない。
　よって、無効理由１　ウ．については理由がないというべきである。
　
（４）無効理由１　エ．について
　上記「第４　１．（１）ア．（イ）テレビジョン番組表に含まれる複数の項目」で述べたように、テレビジョン番組表における１つ１つの番組の概念であると理解され、不明瞭ということはできない。
　よって、無効理由１　エ．については理由がないというべきである。
　
（５）無効理由１　オ．について
　本件特許における「番組ガイドの形式」とは、「時間およびチャンネルの番組ガイドの形式」とされているものである。
　本件特許のテレビジョン番組表は、上記したように、一般に新聞のテレビ・ラジオ欄や放送スケジュール雑誌などに印刷されている表のようなテレビジョン番組を一覧できる表の概念であると理解され、「時間およびチャンネルの番組ガイドの形式」とは、そのように理解されるテレビジョン番組表の形式をいうものと理解できる。そして、一般の新聞のテレビ・ラジオ欄や放送スケジュール雑誌などにおいて、番組が、放送の時間と放送のチャンネルとが分かるような形式で表示され、また、放送の時間と放送のチャンネルとから番組を特定できるような形式で表示されていることが普通であることから、「時間およびチャンネルの番組ガイドの形式」とは、番組の放送の時間と放送のチャンネルとが分かり、また、放送の時間と放送のチャンネルとから番組を特定できるような形式をいうことは、普通に理解できる。
　そうすると、「番組ガイドの形式」の意味が不明であるとはいえない。
　よって、無効理由１　オ．については理由がないというべきである。
　
（６）無効理由１　カ．について
　本件特許における「グリッドガイド形式」とは「時間およびチャンネルの番組ガイドの形式で前記少なくともいくつかの項目を表示するステップ」が包含するステップにおける「グリッドガイド形式」であって、テレビジョン番組表の形式をいうものと理解でき、その形式が「グリッドガイド」という用語から格子状の形態を取って番組をガイドするものと理解できることから、「グリッドガイド形式」とは、本件特許の図１や一般に新聞のテレビ・ラジオ欄や放送スケジュール雑誌などに印刷されている表のような、格子状の形態を取って番組をガイドする形式をいうことは普通に理解できる。
　そうすると、「グリッドガイド形式」の意味が不明であるとはいえない。
　よって、無効理由１　カ．については理由がないというべきである。
　
（７）無効理由１　キ．について
　本件特許の「番組説明情報」が、本件特許明細書の段落【００２３】の番組ノートオーバレイ５２の例、図６に図示される番組ノートオーバレイ５２の内容「ドロシー・・・」に対応するものであることは上記したとおりであるところ、本件特許明細書にはそれらが番組ノートオーバレイ５２として表示されることが記載されている。
　ＣＲＴ等の表示手段に情報を表示することは、情報が取得できれば、当業者の有するテレビやコンピュータのディスプレイの表示技術を持ってすれば、具体的説明が無くとも容易に実現できることはいうまでもないところである。
　そして、上記「第４　１．（１）イ．複数の項目のそれぞれに対応する番組説明情報を取得」で述べたように「番組説明情報」が放送信号（ＶＢＩ）から取得されることは、本件特許明細書の発明の詳細な説明に記載されているということができる。取得される「番組説明情報」が番組の説明であることから、どの番組の説明であるか区別されなければならないことは自明であり、その区別をどのようにして行うかは、特別記載が無くとも、その区別を付けられる情報を付加するなど、当業者にあっては容易に実現できることといえる。　そうすると、「番組説明情報」を、なぜ表示できるのか不明ということはできない。
　よって、無効理由１　キ．については理由がないというべきである。
　
（８）無効理由１　ク．について
　本件特許明細書には、カーソルを用いてモニタースクリーン上に配置されているセルを選択することが記載されており、モニタースクリーン上に配置されているセルが選択されたものであることを認識できる以上、カーソルの位置に基づいて選択されたセルが配置されている該モニタースクリーン上の領域が検出でき、同時に、「選択されたセルが配置されている該モニタースクリーン上の領域とは異なる該モニタースクリーン上の領域」を認識できるといえるから、「選択されたセルが配置されている該モニタースクリーン上の領域とは異なる該モニタースクリーン上の領域」を、どのように検出するのか、発明の詳細な説明を参酌しても不明ということはできない。
　よって、無効理由１（ク）については理由がないというべきである。
　
（９）無効理由１についてのまとめ
　以上のようであって、無効理由１　ア．乃至ク．は、いずれも理由がなく、請求人が主張する無効理由１については理由がないというべきである。
　
２．無効理由２（進歩性欠如）について
（１）無効理由２　ア．について
　ア．本件特許発明１について
　（ア）本件特許発明１
　構成Ａ〜Ｅに分説した本件特許発明１を以下に再掲する。
　
【請求項１】（本件特許発明１）
Ａ：テレビジョン番組表に関する情報を提供する方法であって、
　　該方法は、
Ｂ：受信機の外部にある放送装置から受信機が受信した放送信号から、テレビジョン番組表に含まれる複数の項目のそれぞれに対応するタイトル情報と、該複数の項目のそれぞれに対応する番組説明情報とを取得するステップと、
Ｃ：時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップと、
Ｄ：該モニタースクリーン上でカーソルを移動することにより、該複数のセルのうちの１つを選択するステップと、
Ｅ：該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示するステップと
　　を包含する、方法。
　
　（イ）甲第１号証（特開平１−２０９３９９号公報）
　　本件特許の出願前に頒布された刊行物である甲第１号証（特開平１−２０９３９９号公報）（以下、「甲１」ともいう）には、図面と共に次の記載がある。
　
（甲１の記載）
「〔実施例〕
　以下、本発明による情報処理システムの一実施例を図面により詳細に説明する。
　第１図は本発明の一実施例の機器構成を示すブロック図、第２図は予め提供されるスケジュールの記録媒体内での論理フォーマットを説明する図、第３図は表示画面を示す図である。第１図〜第３図において、１はデイスプレィ装置、２はＶＴＲ装置、３はＶＴＲ制御部、４は予約制御部、５は操作パネル、６はフロッピーディスク装置、７はテレビ信号ケーブル、７′はＲＧＢ信号ケーブル、８は日付フィールド、８′は曜日フィールド、９−１，９−２はチャンネルフィールド、１０−１，１０−２は時間フィールド、１１−１，１１−２は番組フィールド、１２は日付エリア、１３−１，１３−２はチャンネルエリア、１４は時間エリア、１５は番組エリア、１６はカーソル移動キー、１７はモード切換スイッチ、１８は設定スイッチ、１９はテンキーである。
　定められたスケジュールに従って提供される情報を処理する情報処理の形態は、例えば、気象衛星から定期的に送信されてくる気象情報の受信処理、ＶＴＲによるテレビ放送の録画予約の処理等があるが、本発明の実施例は、本発明をテレビ放送の録画予約の処理に適用したものとして説明する。
　本発明が適用されたＶＴＲにおけるテレビ放送の録画予約の処理システムは、第１図に示すように、ＶＴＲ制御部３、予約制御部４、操作パネル５及びフロッピーディスク（以下ＦＤという）装置６を有するＶＴＲ装置２と、デイスプレイ装置１とにより構成され、操作パネル５は、カーソル移動キー１６、モード切換スイッチ１７、設定スイッチ１８及びテンキー１９等を備えて構成されている。
　第１図に示すシステムにおいて、デイスプレイ装置１は、テレビ信号ケーブル７とＲＧＢ信号ケーブル７′とによりＶＴＲ装置２と接続されており、ＶＴＲ装置２における画像再生時に、ＶＴＲ制御部３から出力される画像信号は、テレビ信号ケーブル７を通ってデイスプレイ装置１に送られて表示される。これを以下ＶＴＲモードと呼ぶこととする。ＶＴＲ制御部３は、ＶＴＲの基本機能である録画、再生機能、１週間分の番組の録画予約機能を含んでおり、録画開始、終了の日時と、そのチャンネル情報とは、予約制御部４からセットされるものとする。予約制御部４は、１週間分のテレビ放送のスケジュールが記録されたＦＤの内容をＦＤ装置６から読出して、その内容をＲＧＢ信号ケーブル７′を介してデイスプレイ装置１に表示する。操作者が、この表示を目視しながら操作パネル５の操作により録画したい番組を選択すると、予約制御部４は、その番組の録画開始、終了の夫々の日時と、そのチャンネル情報をＶＴＲ制御部３に登録する。これを予約モードと呼ぶこととする。ＶＴＲモードと予約モードとの切換えは、モード切換スイッチ１７により行われる。
　ＦＤ装置６にセットされるＦＤは、予め提供される１週間分の放送スケジュールを記録しており、このＦＤに記録されている放送スケジュールの内容を示すデータの論理フォーマットが第２図に示されている。１日分のデータは、日付フィールド８、曜日フィールド８′に続き、各チャンネル毎に、時間フィールドと番組フィールドとにより記録されている。１チャンネル分のフォーマットは、第２図の例では、まず、チャンネルフィールド９−１により１ＣＨの番組であることが示された後、このフィールドに引続いて、時間フィールド１０−１と番組フィールド１１−１との対のフィールドが、１日分の番組の数だけ設けられて、番組スケジュールを示すように構成されている。次に、第２チヤンネルの１日分のスケジュールが、チャンネルフィールド９−２に引続き、時間フィールド１０−２と番組フィールド１１−２との組が１日分の番組の数だけ設けられて示される。ＦＤ内には、番組を提供している全てのチャンネルについて、その一週間分の番組が順次前述と同様にフォーマットされたスケジュールとして記録されている。
　前述のフォーマットにおいて、時間フィールド１０−１，１０−２には、対応する番組フィールド１１−１，１１−２で示される番組の開始及び終了時刻が記録されており、番組フィールド１１−１，１１−２には、一般的には番組名称と、必要に応じてその番組の概要が記録されている。
　次に、第２図に示すようなフォーマットでスケジュールを記録しているＦＤを用いて録画予約を行おうとする場合の動作を説明する。この動作例は、９月２０日、日曜日の１９時〜２０時に、第１チヤンネルのニュースＡ、同日の２０時〜２２時に第２チヤンネルの映画Ａの録画予約を行うものとして説明する。
　まず、モード切換スイッチ１７を操作することにより、第１図に示すシステムを予約モードとし、テンキー１９より「０９２０」と日付の入力を行う。これにより、デイスプレイ装置１には、９月２０日の番組表が表示される。この表示を目視しながらカーソル移動キー１６を操作し、カーソルをデイスプレイ装置１上の画面の最上端あるいは最下端に移動させると、時間スクロールが行われ、画面上には、異なる時間帯の番組が次々と表示され、また、カーソルを最左端あるいは最右端に移動させると、チャンネルスクロールが行われ、画面上には、他チャンネルの番組が表示される。
　第３図には、このようにして表示された画面の一例が示されており、ＦＤ内の日付フィールド８、曜日フィールド８′の情報は、日付エリア１２に、チャンネルフィールド９−１，９−２の情報は、チャンネルエリア１３−１，１３−２に夫々表示され、番組フィールド１１−１，１１−２の情報は、時間フィールド１０−１，１０−２を表示する時間エリア１４に対応した番組エリア１５に夫々表示される。第３図に示す例では、１９時〜２３時における第１チヤンネルと第２チヤンネルの番組表が表示されている。
　録画予約を行おうとする操作者は、この表示画面の中に所望する番組を見付け出すと、カーソル移動キー１６を操作して、カーソルを所望の番組に移動させる。カーソルは、その番組を表示しているエリア全体の色を変える等により、その番組を選択していることを示すものであり、第３図では、カーソルは斜線で表わされていて、ニュースＡが選択された状態を示している。この状態で、設定スイッチ１８を操作すると、予約制御部４は、ニュースＡを録画するために必要な、ＦＤ内の日付フィールド８、曜日フィールド８′、チャンネルフィールド９−１、時間フィールド１０−１の情報をＶＴＲ制御部３内にセットし、ニュースＡの録画予約が完了する。次に、カーソル移動キー１６を操作してカーソルを第３図の映画Ａに移動し、設定スイッチ１８を操作すれば、前述と同様にして映画Ａの録画予約が完了する。
　前述の実施例は、１画面に２つのチャンネルの番組表を表示できるようにしたが、表示されるチャンネル数は、さらに多くてもよい。また、例えば、１個のチャンネルのみとして、表示できる時間帯を多くしてもよい。
　また、前述の実施例は、番組のスケジュールがフロッピーディスク等の記録媒体により提供されるとしたが、番組の情報が通信手段を介して直接ＶＴＲ装置に提供されるようにしてもよい。
　前述した本発明の実施例によれば、提供されるテレビ放送番組のスケジュールを画面上に表示しながら、表示画面上で所望する番組を選択するのみで、番組の録画予約を行うことができるので、簡単な操作で、確実な録画予約を行うことができる。」（第２頁右上欄第１４行〜第４頁左上欄第１６行）
（甲１の記載、以上）
　
　　上記記載によると、
　　まず、
　　「本発明の実施例は、本発明をテレビ放送の録画予約の処理に適用したものとして説明する。」（第２頁左下欄第１６〜１８行）
　　「予約制御部４は、１週間分のテレビ放送のスケジュールが記録されたＦＤの内容をＦＤ装置６から読出して、その内容をＲＧＢ信号ケーブル７′を介してデイスプレィ装置１に表示する。操作者が、この表示を目視しながら操作パネル５の操作により録画したい番組を選択する・・」（第２頁右下欄第１８行〜第３頁左上欄第３行）
　　「第３図には、このようにして表示された画面の一例が示されており、・・・１９時〜２３時における第１チヤンネルと第２チヤンネルの番組表が表示されている。」（第３頁左下欄第１５行〜右下欄第４行）
　　とあることから、
　　甲１には、
　　テレビ放送の番組表を表示する技術が記載されている。
　
　　次に、
　　「予約制御部４は、１週間分のテレビ放送のスケジュールが記録されたＦＤの内容をＦＤ装置６から読出して、その内容をＲＧＢ信号ケーブル７′を介してデイスプレィ装置１に表示する。」（第２頁右下欄第１８行〜第３頁左上欄第２行）
　　「このＦＤに記録されている放送スケジュールの内容を示すデータの論理フォーマットが第２図に示されている。」（第３頁左上欄第１１〜１３行）
　　「チャンネルフィールド９−１により１ＣＨの番組であることが示された後、このフィールドに引続いて、時間フィールド１０−１と番組フィールド１１−１との対のフィールドが、１日分の番組の数だけ設けられて、番組スケジュールを示すように構成されている。」（第３頁左上欄第１７行〜右上欄第２行）
　　「時間フィールド１０−１，１０−２には、対応する番組フィールド１１−１，１１−２で示される番組の開始及び終了時刻が記録されており、番組フィールド１１−１，１１−２には、一般的には番組名称と、必要に応じてその番組の概要が記録されている。」（第３頁右上欄第１０〜１５行）
　　「番組のスケジュールがフロッピーディスク等の記録媒体により提供されるとしたが、番組の情報が通信手段を介して直接ＶＴＲ装置に提供されるようにしてもよい。」（第４頁左上欄第７〜１０行）
　　とあることから、
　　甲１記載のテレビ放送の番組表を表示する技術は、番組の数だけ設けられる番組フィールドに一般的には番組名称と、必要に応じてその番組の概要が記録されている論理フォーマットの放送スケジュールの内容を示すデータを通信手段を介して提供されることが記載されている。
　
　　次に、
　　「第３図には、このようにして表示された画面の一例が示されており、・・・チャンネルフィールド９−１，９−２の情報は、チャンネルエリア１３−１，１３−２に夫々表示され、番組フィールド１１−１，１１−２の情報は、時間フィールド１０−１，１０−２を表示する時間エリア１４に対応した番組エリア１５に夫々表示される。第３図に示す例では、１９時〜２３時における第１チヤンネルと第２チヤンネルの番組表が表示されている。」（第３頁左下欄第１５行〜右下欄第４行）
　　とあり、
　　第３図には、左側に時間エリア１４、上側にチャンネルエリア１３−１，１３−２、時間エリア１４とチャンネルエリア１３−１，１３−２とで囲まれた位置に番組エリア１５が区画されて表示される様子が図示されていることから、
　　甲１記載のテレビ放送の番組表を表示する技術は、時間フィールドを表示する時間エリアとチャンネルフィールドの情報が表示されるチャンネルエリアとで囲まれた位置に番組フィールドの情報が表示される番組エリア１５が区画されて表示されるものであることが記載されている。
　
　　次に、
　　「録画予約を行おうとする操作者は、この表示画面の中に所望する番組を見付け出すと、カーソル移動キー１６を操作して、カーソルを所望の番組に移動させる。カーソルは、その番組を表示しているエリア全体の色を変える等により、その番組を選択していることを示すものであり、第３図では、カーソルは斜線で表わされていて、ニュースＡが選択された状態を示している。」（第３頁右下欄第５〜１２行）
　　ことから、
　　甲１記載のテレビ放送の番組表を表示する技術は、表示画面の中でカーソルを移動させ、番組を表示しているエリアを選択して番組を選択するものであることが記載されている。
　
　　このような、甲１記載のテレビ放送の番組表を表示する技術は、テレビ放送の番組表を表示する方法としても認識できる。
　
　　これらのことから、甲１には次の発明（以下、「甲１発明」ともいう）が記載されている。
　
（甲１発明）
　番組の数だけ設けられる番組フィールドに一般的には番組名称と、必要に応じてその番組の概要が記録されている論理フォーマットの放送スケジュールの内容を示すデータを通信手段を介して提供され、
　時間フィールドを表示する時間エリアとチャンネルフィールドの情報が表示されるチャンネルエリアとで囲まれた位置に番組フィールドの情報が表示される番組エリアが区画されて表示され、
　表示画面の中でカーソルを移動させ、番組を表示しているエリアを選択して番組を選択する、
　テレビ放送の番組表を表示する方法。
　
　（ウ）対比
　　本件特許発明１と甲１発明とを対比する。
　　ａ．構成Ａ「テレビジョン番組表に関する情報を提供する方法」
　　甲１発明は、「テレビ放送の番組表を表示する方法」であり、「テレビ放送の番組表」に関する情報を提供するといえるから、本件特許発明１と甲１発明とは、「テレビジョン番組表に関する情報を提供する方法」である点で一致する。
　
　　ｂ．構成Ｂ「受信機の外部にある放送装置から受信機が受信した放送信号から、テレビジョン番組表に含まれる複数の項目のそれぞれに対応するタイトル情報と、該複数の項目のそれぞれに対応する番組説明情報とを取得するステップ」
　
　　（ａ）「テレビジョン番組表に含まれる複数の項目のそれぞれに対応するタイトル情報と、該複数の項目のそれぞれに対応する番組説明情報」
　
　　　甲１発明は、「番組の数だけ設けられる番組フィールドに一般的には番組名称と、必要に応じてその番組の概要が記録されている論理フォーマットの放送スケジュールの内容を示すデータを通信手段を介して提供され」るものであり、論理フォーマットの番組の数だけ設けられる番組フィールドに「番組名称」と「番組の概要」が記録されているから、「番組名称」と「番組の概要」は、番組のそれぞれに対応しているといえる。
　　　本件特許発明１の「項目」は、上記「第４　１．（１）ア．（イ）テレビジョン番組表に含まれる複数の項目」で述べたように「番組」の概念であるところ、「番組名称」は番組の名称であるから「タイトル」ということもでき、「番組の概要」は、番組の概要であるから番組を説明するということもできるから、甲１発明の「番組名称」は本件特許発明１の「タイトル情報」に相当し、「番組の概要」は、本件特許発明１の「番組説明情報」に相当するといえる。そして、それらは番組のそれぞれに対応しているから、「テレビジョン番組表に含まれる複数の項目のそれぞれに対応する」といえる。
　　　そうすると、甲１発明は本件特許発明１の「テレビジョン番組表に含まれる複数の項目のそれぞれに対応するタイトル情報と、該複数の項目のそれぞれに対応する番組説明情報」を有するといえる。
　
　　（ｂ）「受信機の外部にある放送装置から受信機が受信した放送信号から」（タイトル情報と番組説明情報とを）「取得するステップ」
　
　　　甲１発明は、「番組名称」と「番組の概要」とを「通信手段を介して提供され」る。「通信手段を介」するのであるから、当然に通信における送受信がなされるものであり、当然に受信機の存在が認められる。そして、これも当然に受信機の外部にある送信装置からの送信信号を受信するものといえる。
　　　そうすると、甲１発明は「番組名称」と「番組の概要」とを「受信機の外部にある送信装置から受信機が受信した送信信号から」取得するということができ、このことは、本件特許発明１の「受信機の外部にある放送装置から受信機が受信した放送信号から」（タイトル情報と番組説明情報とを）「取得するステップ」に対応するということができる。
　　　もっとも、このタイトル情報と番組説明情報とを取得する手法が、本件特許発明１では「放送」を用いたものであって、送信装置として「放送装置」、送信信号として「放送信号」であることに対し、甲１発明では「通信」であって「送信装置」「送信信号」ある点で相違する。
　
　　　請求人は、上記「放送」に関する相違を一致するとも主張する。
　　　しかしながら、本件特許発明１の「放送信号」は、タイトル情報等がＶＢＩに含まれてはいるものの、本来、番組の映像・音声を放送するための放送信号であって、タイトル情報等を放送することを本来の目的としない信号であることは明らかであり、本件特許発明１は、番組の映像・音声を送る信号にタイトル情報等を含ませているものと解釈すべきものであるところ、
　　　甲１では「番組のスケジュールがフロッピーディスク等の記録媒体により提供されるとしたが、番組の情報が通信手段を介して直接ＶＴＲ装置に提供されるようにしてもよい。」（第４頁左上欄第７〜１０行）とされるように、通信手段の通信は「フロッピーディスク等の記録媒体により提供される」ことに代えて「番組の情報」（番組のスケジュール）を通信するためのものであって、フロッピーディスク等の記録媒体に番組自体が入っていないから、甲１の通信手段の通信は専ら「番組の情報」（番組のスケジュール）を通信するためのものといえ、番組の映像・音声を送信する信号に「番組の情報」（番組のスケジュール）を含ませる技術が記載されているとはいえない。
　　　したがって、請求人の上記主張は失当である。
　
　　（ｃ）構成Ｂのまとめ
　　　上記のようであるから、本件特許発明１と甲１発明とは「受信機の外部にある送信装置から受信機が受信した送信信号から、テレビジョン番組表に含まれる複数の項目のそれぞれに対応するタイトル情報と、該複数の項目のそれぞれに対応する番組説明情報とを取得するステップ」という点で一致し、
　　　タイトル情報と番組説明情報とを取得する手法が、本件特許発明１では「放送」を用いたものであって、装置として「放送装置」、信号として「放送信号」であることに対し、甲１発明では「通信」であって「送信装置」「送信信号」ある点で相違する。
　
　　ｃ．構成Ｃ「時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップ」
　
　　　甲１発明は「時間フィールドを表示する時間エリアとチャンネルフィールドの情報が表示されるチャンネルエリアとで囲まれた位置に番組フィールドの情報が表示される番組エリアが区画されて表示され」るものであり、図３をみても、番組エリアで表示される番組がどの時間にどのチャンネルで放送されるかが分かるようにされているから、本件特許発明１の「時間およびチャンネルの番組ガイドの形式で該テレビジョン番組表に含まれる複数の項目のうちの少なくともいくつかの項目をモニタースクリーンに表示するステップ」に相当する構成を有しているといえる。
　　　そして、甲１発明の「番組エリア」は、図３を見ても分かるように複数、区画されて表示されており、それぞれが番組に対応し「カーソルを移動させ、番組を表示しているエリアを選択して番組を選択する」から、甲１発明は本件特許発明１の「該番組ガイドは、複数のセルを含み、該複数のセルのそれぞれは、該少なくともいくつかの項目のうちの１つに関連付けられている、ステップ」を有しているといえる。
　　　したがって、本件特許発明１と甲１発明とは、「時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップ」で一致する。
　
　　ｄ．構成Ｄ「該モニタースクリーン上でカーソルを移動することにより、該複数のセルのうちの１つを選択するステップ」
　　　甲１発明は「表示画面の中でカーソルを移動させ、番組を表示しているエリアを選択して番組を選択する」ものであり、本件特許発明１の「該モニタースクリーン上でカーソルを移動することにより、該複数のセルのうちの１つを選択するステップ」を有するといえる。
　
　　ｅ．構成Ｅ「該選択されたセルに関連付けられている該項目に対応する該タイトル情報が、該選択されたセル内に表示されている一方で、該選択されたセルに関連付けられている該項目に対応する該番組説明情報を、該選択されたセルが配置されている該モニタースクリーン上の領域とは異なる該モニタースクリーン上の領域に表示するステップ」
　
　　　甲１発明は「時間フィールドを表示する時間エリアとチャンネルフィールドの情報が表示されるチャンネルエリアとで囲まれた位置に番組フィールドの情報が表示される番組エリアが区画されて表示され」、「番組フィールドに一般的には番組名称と、必要に応じてその番組の概要が記録されている」から、番組エリアには「番組フィールド」に記録されている「一般的には番組名称と、必要に応じてその番組の概要が」表示される。そして、甲１発明は「表示画面の中でカーソルを移動させ、番組を表示しているエリアを選択して番組を選択する」から、「一般的には番組名称と、必要に応じてその番組の概要が」表示される番組エリアを選択する。
　　　そうすると、甲１発明は、「該選択されたセルに関連付けられている該項目に対応する該タイトル情報と選択されたセルに関連付けられている該項目に対応する該番組説明情報とが、該選択されたセル内に表示されている」ということはできるが、選択されていないセルにも番組説明情報が表示されており、本件特許発明１の「該選択されたセルに関連付けられている該項目に対応する該番組説明情報を、該選択されたセルが配置されている該モニタースクリーン上の領域とは異なる該モニタースクリーン上の領域に表示する」構成を有していない。
　　　よって、本件特許発明１と甲１発明とは「該選択されたセルに関連付けられている該項目に対応する該タイトル情報が、該選択されたセル内に表示されている」、そして、「該選択されたセルに関連付けられている該項目に対応する該番組説明情報を」表示することで一致するが、
　　　その「番組説明情報」の表示態様が、本件特許発明１では「該選択されたセルが配置されている該モニタースクリーン上の領域とは異なる該モニタースクリーン上の領域に表示する」であることに対し、甲１発明では「該選択されたセル内に表示され」、「選択されていないセルにも番組説明情報が表示され」る点で相違する。
　
　（エ）一致点、相違点
　　以上対比によると、本件特許発明１と甲１発明との一致点、相違点は次のとおりである。
　
　［一致点］
　テレビジョン番組表に関する情報を提供する方法であって、
　受信機の外部にある送信装置から受信機が受信した送信信号から、テレビジョン番組表に含まれる複数の項目のそれぞれに対応するタイトル情報と、該複数の項目のそれぞれに対応する番組説明情報とを取得するステップと、
　時間およびチャンネルの番組ガイドの形式で該テレビジョン番組表に含まれる複数の項目のうちの少なくともいくつかの項目をモニタースクリーンに表示するステップであって、該番組ガイドは、複数のセルを含み、該複数のセルのそれぞれは、該少なくともいくつかの項目のうちの１つに関連付けられている、ステップと、
　該モニタースクリーン上でカーソルを移動することにより、該複数のセルのうちの１つを選択するステップと、
　該選択されたセルに関連付けられている該項目に対応する該タイトル情報が、該選択されたセル内に表示され、
　該選択されたセルに関連付けられている該項目に対応する該番組説明情報を表示するステップと、
　を包含する、方法
　
　［相違点１］
　　タイトル情報と番組説明情報とを取得する手法が、本件特許発明１では「放送」を用いたものであって、装置として「放送装置」、信号として「放送信号」であることに対し、甲１発明では「通信」であって「送信装置」「送信信号」ある点。
　
　［相違点２］
　　「番組説明情報」の表示態様が、本件特許発明１では「該選択されたセルが配置されている該モニタースクリーン上の領域とは異なる該モニタースクリーン上の領域に表示する」であることに対し、甲１発明では「該選択されたセル内に表示され」、「選択されていないセルにも番組説明情報が表示され」る点。
　
　（オ）相違点の判断
　　ａ．［相違点１］の判断
　　（ａ）甲第２号証
　　　本件特許の出願前に頒布された刊行物である甲第２号証（特開平２−１８９７５３号公報）（以下、「甲２」ともいう）には、図面と共に次の記載がある。
（甲２の記載）
「３．発明の詳細な説明
　　（イ）　産業上の利用分野
　本発明は、テレテキスト放送が受信可能なビデオテープレコーダ（ＶＴＲ）に関し、特にテレテキストデータに含まれる放送予定番組の放送開始時刻、番組タイトル等を示す複数種の文字データを取り込むことが可能なビデオテープレコーダの番組予約方法に関するものである。
　　（ロ）　従来の技術
　従来、ＶＴＲで録画予約を行う場合は、録画開始時刻、終了時刻、チャンネル番号などの項目を一つずつキー操作によって入力して行かなければならなかった。このため、録画予約のためのキー操作の回数が多くなり操作手順が複雑になってしまったり、誤入力により希望する放送番組が録画できなくなってしまうという事態を招来していた。ところで、近年放送局によっては、テレテキスト放送の一部として放送予定番組の放送開始時刻、番組タイトル等の情報（番組表）を送っており、この番組表を利用して録画する方法が例えば西ドイツ公開特許明細書第３３３５０８号に提案されている。
　これは、第４図の如く放送局から送られてくる放送予定番組の放送開始時刻やタイトルが書かれた番組表がデイスプレィの画面（１００）上に表示され、ユーザはこの表示を見ながら、所望する予約番組をカーソル（２００）で指定することにより、録画予約に必要なデータをとりだして番組予約するものであり、これによって番組予約に要するキー操作の回数を大幅に滅らすことが出来、更に番組表を画面に表示することにより、番組のタイトルを見て録画予約することができるので、誤入力を少なくすることができる。
　　（ハ）　発明が解決しようとする課題
　ところで、放送局から送られてくる番組表の受信機側における表示態様は第４図に示されるように「１２：００　ＮＥＷＳ」、「１２：１５　ＭＵＳＩＣ　ＳＨＯＷ」の如く簡略化された形または放送局独自のフォーマットで表示されるものであり、例えば図示の如くカーソル（２）で　「１２：００　ＮＥＷＳ」を指定して録画予約キーを押圧しても、１２時から始まるニュースを予約されることはユーザに分かるが、更に詳細な予約データ（録画予約日付、チャンネル、録画開始及び終了時刻）等の情報を表示画面から知り得る事ができず、極めて不便であった。
　そこで、本発明はかかる欠点を解決しようとするものである。
　　（ニ）　課題を解決するための手段
　本発明の番組予約方法は上記課題を解決すべくテレビジョン映像信号の垂直ブランキング期間に重畳されたテレテキスト信号に含まれる放送予定番組の番組表及びこの番組表の各項目に対応する番組予約データを取り込むようにしたビデオテープレコーダにおいて、
　画面上に表示される前記番組表の項目を選択したとき、その選択された項目に対応する番組予約データを前記番組表の表示画面と同一画面に文字によって表示させるようにした。
（ホ）　作用
　上記手段によれば、カーソル等で画面上において選択された番組表の項目に対応した番組予約データを文字として確認できる。
（へ）　実施例
　以下、本発明の一実施例を第１図乃至第３図を参照しつつ説明する。
　第１図は本発明を実施したＶＴＲの概略ブロック図を示しており、アンテナ（１）で捕らえられた放送信号はチューナ（２）で受信選択され、映像中間周波数及び検波回路［ＩＦ・ＤＥＴ］（３）を介して映像信号処理回路（４）によって信号処理された表示切換回路（５）に供給される。この表示切換回路（５）はマイクロコンピュータにより構成されるテレテキスト制御部（６）からの切換信号（ａ）によって、前記映像信号処理回路（４）からのビデオ信号（ｂ）またはキャラクタジェネレータ（７）からの文字信号（ｃ）を選択し、出力するようになっている。
　一方、ＩＦ・ＤＥＴ（３）から得られるビデオ信号のうち垂直帰線期間に多重されたテレテキスト信号は、テレテキスト信号抜取回路（８）によって抽出されて、ページ選択回路（９）に供給される。このページ選択回路（９）はテレテキスト制御部（６）から指示されたページ番号のデータだけを抜き出して画面メモリ（１０）に供給する。画面メモリ（１０）は前記ページ選択回路（９）で選択された特定のページ番号の画面データを、テレテキスト制御部（６）からの制御信号に従って書込む。前記画面メモリ（１０）に書込まれたデータはテレテキスト制御部（６）からの制御信号に従って読み出された後、キャラクタジェネレータ（７）により文字信号に変換される。
　このように、テレテキスト制御部（６）は上記のようにページ選択回路（９）と表示切換回路（５）に命令を送ることによりテレビ画面及びテレテキスト画面の表示制御を行う他、直接画面メモリ（１０）にデータを書き込んで任意の文字を表示することもできる。
　（１１）はキー入力部であって、このキー入力部（１１）をユーザが操作することにより、テレテキスト制御部（６）はそのキー操作に応じた処理を行う。又、ワークメモリ（１２）は、テレテキスト制御部（６）が番組予約処理などを行うときに使用される。
　テレテキスト制御部（６）による番組予約録画について述べると、ユーザのキー入力部（１１）の操作により、デイスプレィ上に、テレテキストの所定番号のページの画面を表示し、カーソルを移動せしめて所望する番組を選択後、録画予約キーを押すと、その選択された番組に対応する番組予約データを予約データメモリ（１９）に書込む。予約データメモリ（１９）に書き込まれた予約データは、マイクロコンピュータから構成されたタイマー予約制御部（１３）により読出される。ＩＦ・ＤＥＴ（３）から得られるビデオ信号のうち垂直帰線期間に多重されたＶＰＳ（Ｖｉｄｅｏ　Ｐｒｏｇｒａｍ　Ｓｙｓｔｅｍ　）信号はＶＰＳ信号抜取回路（１４）で抽出されてタイマー予約制御部（１３）に供給され、又、時計回路（１５）からの時刻データがタイマー予約制御部（１３）に与えられる。前記タイマー予約制御部（１３）は前記時刻データまたは、ＶＰＳ信号が存在する場合はＶＰＳ信号と前記予約データを比較し、両データが一致したとき、選局回路（１６）を制御してチューナ（２）により所定のＴＶ番組を選局すると共に、システムコントローラ（１７）に録画命令を送る。システムコントローラ（１７）は、前記録画命令を受けると録画回路（１８）を制御し、録画が開始される。そして、録画終了時刻になって、録画が終了すると予約データメモリ（１９）に書込まれている番組予約データは消去されるようになっている。
　次に、第１図とともに第２図及び第３図を参照しつつ、テレテキスト放送で送られてくる番組録画予約におけるテレテキスト制御部（６）の動作を更に詳細に説明する。
　まず、ユーザが図示しない番組予約表示キーを押してテレテキスト画面のページを選択すると、その選択されたページの画面のデータが画面メモリ（１０）に取込まれるが、テレテキスト制御部（６）はまずこの所定のページの画面データが完全に取込まれたかどうかの判断を行う（ステップ○１）。画面データの画面メモリ（１０）への取込みが完了すると、制御部（６）は前記画面データを読込み（ステップ○２）解析して録画予約データ［Ｐｏｓ．（チャンネルポジション）、Ｄａｔｅ（日付）、Ｓｔａｒｔ（録画開始時刻）、Ｓｔｏｐ（録画終了時刻）］を抜きだし、ワークメモリ（１２）に書込む（ステップ○３）。
　前記選択されたページ一画面分の予約データがワークメモリ（１２）に書き込まれると、制御部（６）はワークメモリ（１２）に書込まれた一番初めの番組予約データを文字データとして画面メモリ（１０）に書込むことにより番組表（第２図（Ａ））とともに該番組表が表示された画面と同一の画面（１００）に番組予約データの内容（第２図（Ｂ））を表示する。この時、番組表（第２図（Ａ））に於て、表示された番組予約データに対応する番組表の項目の位置にカーソル（２０）を表示し、これによりユーザに現在選択されている番組とその番組予約データとを対応づけて知らせる［ステップ○５］。
　ここで、テレテキスト制御部（６）はキー人力部（１１）からの次のキー入力を待つ［ステップ○６］。
　次に入力されたキーがステップ○７でカーソル移動のキーであると判断されると、該カーソル（２０）の移動によって指定される番組の項目（例えば「１２：１５　ＭＵＳＩＣ　ＳＨＯＷ」）に対応する番組予約データをワークメモリ（１２）から読みだし、画面メモリ（１０）に文字データとして書込むことにより、その番組予約データを第２図に示す画面の領域（Ｂ）に表示する［ステップ○８］とともに、ステップ○９でその領域（Ｂ）に表示された番組予約データに対応する上記項目（「１２：１５　ＭＵＳＩＣ　ＳＨＯＷ」）の位置にカーソル（２０）を表示する。
　ステップ○７でキー入力がカーソル移動のキーでないと判断されると、ステップ○１０で予約実行キーによる入力かどうかの判断がなされ、予約実行キーによるキー入力であると判断されると、カーソル（２０）で指定されている番組の項目の番組予約データ、即ち、画面の領域（Ｂ）に表示されている番組予約データを予約データにメモリに（１９）に書込み（ステップ　）、終了する。
　番組予約データが予約データメモリ（１９）に書込まれた後の動作は既に説明した通りであり、上述の一連の動作により、テレテキスト放送による番組予約録画が行われる。
　　（ト）　発明の効果
　本発明によれば、テレテキスト放送で送られてくる番組表の項目を指定する毎に、その項目に対応した番組予約データを画面上において文字で確認できるという効果がある。」（第１頁左下欄第１４行〜第４頁左上欄第１行）
（甲２の記載、以上）
　
　　　上記記載によると、
　「近年放送局によっては、テレテキスト放送の一部として放送予定番組の放送開始時刻、番組タイトル等の情報（番組表）を送っており、この番組表を利用して録画する方法が例えば西ドイツ公開特許明細書第３３３５０８号に提案されている。」（第１頁右下欄第１０〜１５行）
　「テレビジョン映像信号の垂直ブランキング期間に重畳されたテレテキスト信号に含まれる放送予定番組の番組表及びこの番組表の各項目に対応する番組予約データを取り込むようにしたビデオテープレコーダにおいて、
　画面上に表示される前記番組表の項目を選択したとき、その選択された項目に対応する番組予約データを前記番組表の表示画面と同一画面に文字によって表示させる」（第２頁右上欄第３〜１１行）
　　　ことから、
　　　甲２には、
　　　ビデオテープレコーダの番組録画予約のために、テレビジョン映像信号の垂直ブランキング期間に重畳されたテレテキスト信号に、放送予定番組の番組表及びこの番組表の各項目に対応する番組予約データを含ませて放送局から送り、番組表を表示する技術が記載されている。
　
　　（ｂ）甲１発明への採用
　　　甲１において、甲１発明はＶＴＲにおけるテレビ放送の録画予約において番組表を表示する発明であるところ、甲２記載の上記技術は、ビデオテープレコーダの番組録画予約のために番組表を表示する技術であり、甲１発明において番組表に関する情報である「番組名称」と「番組の概要」（本件特許発明１のタイトル情報と番組説明情報に相当）とを通信で送る場合、甲２の技術において放送で番組表を送る技術を採用することは当業者が容易に想到できることということができる。
　　　そうすると、甲１発明において、タイトル情報と番組説明情報とを取得する手法として、「通信」を「放送」とし、「送信装置」「送信信号」を「放送装置」「放送信号」とすること、すなわち、本件特許発明１の上記相違点１に係る構成とすることは、当業者が容易に想到できることといえる。
　
　　ｂ．［相違点２］の判断
　　（ａ）表示に関する一般的な技術課題
　　　何らかの表示を行う場合、ディスプレイや紙面などの表示媒体には表示を行う面積に限界があり、表示しようとする情報の全てを同時に表示することができず、表示態様を工夫する必要があることは、表示に関して一般的な技術課題といえる。このことは、後述するように、甲１の記載からも伺うことができる。
　　
　　（ｂ）番組表提示に関する一般的な事項
　　　新聞のテレビ・ラジオ欄や放送スケジュール雑誌などでは、チャンネルと時間帯とで番組を一覧する番組表と、番組表の大きさや文字サイズを考慮して番組表内には書ききれない番組の更に詳しい説明を、番組表とは異なる場所に表示することが日常一般に行われている。
　　
　　（ｃ）ディスプレイ表示における周知技術
　　　ディスプレイ上でカーソルを用い、「カーソルで選択された項目に応じた情報を、選択された項目が配置された領域と異なる領域に表示する」ことは、周知技術である。
（甲第３号証（特開昭６２−４９５２８号公報）、
　甲第４号証（特開昭６３−２４７８１２号公報）、
　甲第５号証（特開昭６３−２７６０６９号公報）参照。）
　
　　（ｄ）甲２の記載
　　　甲２には、上記第４　２．（１）ア．（オ）ａ．（ａ）甲第２号証の記載があり、
　「番組表（第２図（Ａ））とともに該番組表が表示された画面と同一の画面（１００）に番組予約データの内容（第２図（Ｂ））を表示する。」（第３頁左下欄第４〜７行）
　「該カーソル（２０）の移動によって指定される番組の項目・・・に対応する番組予約データを・・・第２図に示す画面の領域（Ｂ）に表示する」（第３頁左下欄第１５行〜右下欄第１行）
　　　ことから、
　　　甲２には、番組表（第２図（Ａ））でカーソルで指定される番組の項目に対応する番組予約データを、番組表の番組の表示個所とは異なる位置（第２図（Ｂ））に表示することが記載されており、甲２には番組表において上記周知技術を採用することが記載されている、ということができる。
　
　　（ｅ）甲１発明への採用
　　　甲１発明は、「番組説明情報」を「該選択されたセル内に表示されている」ということができるものであるところ、甲１には、上記第４　２．（１）ア．（イ）甲第１号証の記載があって、
　「カーソルをデイスプレイ装置１上の画面の最上端あるいは最下端に移動させると、時間スクロールが行われ、画面上には、異なる時間帯の番組が次々と表示され、また、カーソルを最左端あるいは最右端に移動させると、チャンネルスクロールが行われ、画面上には、他チャンネルの番組が表示される。」（第３頁左下欄第８〜１４行）
　「第３図には、このようにして表示された画面の一例が示されており、ＦＤ内の日付フィールド８、曜日フィールド８′の情報は、日付エリア１２に、チャンネルフィールド９−１，９−２の情報は、チャンネルエリア１３−１，１３−２に夫々表示され、番組フィールド１１−１，１１−２の情報は、時間フィールド１０−１，１０−２を表示する時間エリア１４に対応した番組エリア１５に夫々表示される。第３図に示す例では、１９時〜２３時における第１チヤンネルと第２チヤンネルの番組表が表示されている。」（第３頁左下欄第１５行〜右下欄第４行）
　「前述の実施例は、１画面に２つのチャンネルの番組表を表示できるようにしたが、表示されるチャンネル数は、さらに多くてもよい。また、例えば、１個のチャンネルのみとして、表示できる時間帯を多くしてもよい。」（第４頁左上欄第２〜６行）
　　　とあるように、表示されない他チャンネルの番組をスクロールによって表示すること、表示されるチャンネル数を多くすること、また、１個のチャンネルのみとして、表示できる時間帯を多くすることが記載されており、、甲１には、甲１発明に、番組表の表示にあたって、上記表示に関する一般的な技術課題、すなわち、表示態様を工夫するという技術課題が存在することを示唆する記載があるといえる。
　　　また、上記番組表提示に関する一般的な事項からみて、甲１の番組表の提示形態として、番組エリア内に必要に応じて表示される番組の説明に相当する「番組の概要」を番組表とは異なる場所に表示しようとすることは、甲１発明の表示態様を工夫する手法として、当業者であれば、容易に想到できることであり、その手段として、上記甲２記載のように番組表においても採用されるものであるところの上記ディスプレイ表示における周知技術を採用して、甲１発明でカーソルを移動させて選択する番組の「番組の概要」を「選択された項目が配置された領域と異なる領域に表示する」こと、すなわち、本件特許発明１の相違点２に係る構成「該選択されたセルが配置されている該モニタースクリーン上の領域とは異なる該モニタースクリーン上の領域に表示する」ようになすことは、当業者であれば容易に想到できることといえる。
　
　　ｃ．相違点の判断まとめ
　　　以上のように、相違点１および相違点２に係る本件特許発明１の構成はいずれも当業者が容易に想到できることであり、これらを総合してもその効果は当業者が予測できるものであるから、本件特許発明１は甲第１号証記載の発明、甲第２号証記載の発明及び周知技術に基づいて、当業者が容易に発明することができたものである。
　
　（カ）本件特許発明１についてまとめ
　　以上のように、本件特許の請求項１に係る発明は、甲第１号証記載の発明、甲第２号証記載の発明に基づいて、当業者が容易に発明することができたものであるから、特許法第２９条第２項の規定に違反して特許されたものであり、特許法第１２３条第１項第２号の規定により、本件特許の請求項１に係る発明は、無効とすべきものである。
　
　イ．本件特許発明２について
　　請求項２は、請求項１を引用しており、本件特許発明２は、請求項１の記載の本件特許発明１に加えて、構成Ｆ「前記時間およびチャンネルの番組ガイドの形式で前記少なくともいくつかの項目を表示するステップは、グリッドガイド形式で該少なくともいくつかの項目を表示するステップを包含する」を有する。
　　本件特許発明２と甲１発明とを対比すると、構成Ｆ以外は上記本件特許発明１と甲１発明との対比と同様であるので、構成Ｆについて、更に対比すると、甲１発明の「時間フィールドを表示する時間エリアとチャンネルフィールドの情報が表示されるチャンネルエリアとで囲まれた位置に番組フィールドの情報が表示される番組エリアが区画されて表示され」ることは、番組エリアについて、甲１第３図で横方向に見ると時間エリアにおける放送時間が、縦方向に見るとチャンネルエリアにおける放送チャンネルが確認できるものであって、本件特許発明２のグリッドガイド形式に相当する表示であるといえる。
　　したがって、本件特許発明２と甲１発明とは、構成Ｆ「前記時間およびチャンネルの番組ガイドの形式で前記少なくともいくつかの項目を表示するステップは、グリッドガイド形式で該少なくともいくつかの項目を表示するステップを包含する」点で一致する。
　　そうすると、本件特許発明２と甲１発明との相違点は上記本件特許発明１と甲１発明との相違点と同様であり、その相違点については上記本件特許発明１についての相違点の判断と同様に判断されるから、本件特許発明２は甲第１号証記載の発明、甲第２号証記載の発明に基づいて、当業者が容易に発明できたものであるというべきである。
　　よって、本件特許の請求項２に係る発明は、甲第１号証記載の発明、甲第２号証記載の発明に基づいて、当業者が容易に発明できたものであるから、特許法第２９条第２項の規定に違反して特許されたものであり、特許法第１２３条第１項第２号の規定により、本件特許の請求項２に係る発明は、無効とすべきものである。
　
　ウ．本件特許発明３について
　　本件特許発明３は、テレビジョン番組表に関する情報を提供する方法である本件特許発明１を電子番組ガイドシステムの発明としたものであり、技術としては本件特許発明１と同内容の発明である。そして、甲１発明も電子番組ガイドシステムの発明としても認識できるから、本件特許発明１と同様に、本件特許発明３は甲第１号証記載の発明、甲第２号証記載の発明に基づいて、当業者が容易に発明できたものであるというべきである。
　　よって、本件特許の請求項３に係る発明は、甲第１号証記載の発明、甲第２号証記載の発明に基づいて、当業者が容易に発明できたものであるから、特許法第２９条第２項の規定に違反して特許されたものであり、特許法第１２３条第１項第２号の規定により、本件特許の請求項３に係る発明は、無効とすべきものである。
　
　エ．本件特許発明４について
　　本件特許発明４は、テレビジョン番組表に関する情報を提供する方法である本件特許発明２を電子番組ガイドシステムの発明としたものであり、本件特許発明２と同様に、本件特許発明４は甲第１号証記載の発明、甲第２号証記載の発明に基づいて、当業者が容易に発明できたものであるというべきである。
　　よって、本件特許の請求項４に係る発明は、甲第１号証記載の発明、甲第２号証記載の発明に基づいて、当業者が容易に発明できたものであるから、特許法第２９条第２項の規定に違反して特許されたものであり、特許法第１２３条第１項第２号の規定により、本件特許の請求項４に係る発明は、無効とすべきものである。
　
　オ．無効理由２　ア．についてまとめ
　　以上のように、本件特許発明１乃至本件特許発明４は、いずれも無効とすべきものであるから、無効理由２　ア．は理由があるというべきである。
　
（２）無効理由２　イ．について
　本件出願が特許法第４４条に規定する要件を満たしていないと請求人が主張する根拠である、本件特許発明１乃至本件特許発明４が含むとする分割の原出願（子出願：特願２０００−３２１３９１号）の出願当初の明細書又は図面に記載した事項の範囲内でないものとは、「番組説明情報を取得すること」及び「セルが項目に関連付けられていること」である。
　本件特許明細書と原出願の出願当初の明細書の発明の詳細な説明との記載内容の相違は、段落【０００９】【００２２】にあり、その他は実質的に同一である。段落【０００９】における相違は、特許請求の範囲に対応した〔課題を解決するための手段〕の相違であり、段落【００２２】における相違は、「選択された一つのテレビジョン番組リスト「ゴールデンガールズ」に関する番組紹介情報「ドロシーは、誕生日に驚かすためシシリーからソフィアの妹(ナンシー・ウォーカー)をつれてくる。」を表示する」「番組ノートオーバレイ５２は、一つのリストセル２６の面積よりも広い。」が追加された相違である。
　上記「第４　１．（１）イ．複数の項目のそれぞれに対応する番組説明情報を取得」及び「第４　１．（２）無効理由１　イ．について」で述べたように、「番組説明情報を取得すること」及び「セルが項目に関連付けられていること」は、本件特許明細書の発明の詳細な説明に記載されているということができるものであり、上記相違を考慮しても、本件特許明細書の発明の詳細な説明と同様に原出願の出願当初の明細書の発明の詳細な説明にも記載されているということができる。
　したがって、本件出願が特許法第４４条に規定する要件を満たしていないと請求人が主張する根拠はなく、本件出願が特許法第４４条に規定する要件を満たしていないとすることはできない。
　よって、本件出願が特許法第４４条に規定する要件を満たしていないことを前提とした無効理由２（イ）はその根拠がなく、理由がないというべきである。
　
（３）無効理由２についてのまとめ
　以上のようであって、無効理由２　イ．については理由がないというべきであるものの、無効理由２　ア．については理由があるというべきであるから、請求人が主張する無効理由２については理由があるというべきである。
　
３．判断のまとめ
　以上のようであるから、請求人の主張する、無効理由２は理由があるというべきであり、請求項１乃至請求項４に係る特許は無効とすべきものである。
　
第５．むすび
　以上とおり、請求項１乃至請求項４に係る特許は無効とすべきものである。
　
　審判に関する費用については、特許法第１６９条第２項の規定で準用する民事訴訟法第６１条の規定により、被請求人が負担すべきものとする。
　
　よって、結論のとおり審決する。